(57)【要約】【課題】複数の室外ファンからの風の放出を均等にした空気調和機を提供する。【解決手段】上方に配された上側室外ファン１ａと、下方に配された下側室外ファン１ｂと、熱交換器２等を内蔵し、外郭を、上側、下側室外ファン１ａ、１ｂを保護する吹き出しグリル１５を有する前板５と、基板３と、天板４と、側板６等で構成した室外機７と、前板５を覆うように取り付けられると共に、上側、下側室外ファン１ａ、１ｂにより前方に吹出された風を上向きに放出させる風向変更ダクト８とを備え、風向変更ダクト８の下側室外ファン１ｂと対抗する部分の容積を、上側室外ファン１ａと対抗する部分の容積より大きく設定したもので、下側室外ファン１ｂからの吹き出し時の負荷が減り、上側室外ファン１ａと下側室外ファン１ｂからの放出風量が均一になり、熱交換器２を通過する風速も均等になり、熱交換器２の霜着防止、室外機７の能力の低下を防止できる。【選択図】図２
2006132894.tif 000002
【特許請求の範囲】
【請求項１】
上方に配された上側室外ファンと、下方に配された下側室外ファンと、熱交換器等を内蔵し、外郭を、前記上側、下側室外ファンを保護する吹出しグリルを有する前板と、基板と、天板と、側板等で構成した室外機と、前記前板を覆うように取り付けられると共に、前記上側、下側室外ファンにより前方に吹出された風を上向きに放出させる風向変更ダクトとを備え、前記風向変更ダクトの前記下側室外ファンと対抗する部分の容積を、前記上側室外ファンと対抗する部分の容積より大きく設定したことを特徴とする空気調和機。
【請求項２】
上側室外ファンと下側室外ファンとの境近傍で、風向変更ダクトの前記下側室外ファン側を階段状に広げて、その部分での容積を大きくし、さらに前記風向変更ダクトの上下方向で異なる位置にそれぞれ吹出し口を設けた請求項１に記載の空気調和機。
【請求項３】
風向変更ダクト内部に、上側室外ファンの吹き出し風路と下側室外ファンの吹き出し風路とを仕切る断面略Ｌ字形の仕切り板を設けたことを特徴とする請求項１に記載の空気調和機。
【請求項４】
風向変更ダクト内部の容積を、下から上に向かって徐々に小さくなるようにしたことを特徴とする請求項１に記載の空気調和機。
【請求項５】
風向変更ダクトの前面又は／および側面に、斜め上方に向かって開口したルーバを設けたことを特徴とする請求項１〜４のいずれか１項に記載の空気調和機。
【請求項６】
風向変更ダクトに、上側室外ファン、下側室外ファンの回転方向に合わせて、高さをずらして吹出口を設けたことを特徴とする請求項１又は２に記載の空気調和機。
【請求項７】
上方に配された上側室外ファンと、前記上側室外ファンの直下に配された下側室外ファンと、熱交換器等を内蔵し、外郭を、前記上側、下側室外ファンを保護する吹き出しグリルを有する前板と、基板と、天板と、側板等で構成した室外機と、前記前板を覆うように取り付けられると共に、前記上側、下側室外ファンにより前方に吹出された風を上向きに放出させる風向変更ダクトとを備え、前記風向変更ダクト内に、断面略Ｓ字状で、前記上側室外ファンの吹き出し風路と前記下側室外ファンの吹き出し風路とを仕切る仕切り板を設けたことを特徴とする空気調和機。
【発明の詳細な説明】
【技術分野】
【０００１】
本発明は、空気調和機に関するもので、特に室外機に関するものである。
【背景技術】
【０００２】
従来の空気調和機の室外機の設置の一例として、特に前吹き形の室外機においては前から吹出された風を上方へ吹出そうとする場合がある。前から吹出された風を上方へ吹出す場合、室外機前面に風向変更ダクトを設けることが一般的である（例えば、特許文献１参照）。
【０００３】
図１３は、上記特許文献１に記載された従来の空気調和機の室外機の斜視図を示すものである。また図１４は、同空気調和機の室外機の断面図を示すものである。
【０００４】
図１３、１４に示すように、従来の空気調和機の室外機７の内部には、上側室外ファン１ａと下側室外ファン１ｂからなる室外ファン１、熱交換器２などを配置し、基板３、天板４、前板５および側板６から構成され、前記前板５の前方に風向変更ダクト８を有し、前記風向変更ダクト８の上部に、室外ファン１を保護すると共に吹出し口となる格子状のグリル９が配置され、室外ファン１から前方に吹出された風が吹出し側前方に配置した風向変更ダクト８の壁にあたり室外機７の上方へ吹出す構成となっている。
【特許文献１】特開平１１−２３７０８３号公報
【発明の開示】
【発明が解決しようとする課題】
【０００５】
しかしながら、上記のような空気調和機の大型の室外機は、複数個のファンを上下方向に配列する場合が一般的でこのような配置では、上部へ風を吹出す場合吹出し口に近い上側室外ファン１ａは、効率よく風を排出することは可能だが、吹出し口から遠い下側室外ファン１ｂは、吹出した風が吹出し口から吹出しされにくく、また上側室外ファン１ａから吹出された風の影響を受け、下側室外ファン１ｂは、上側室外ファン１ａに比べ上部に吹出すことが困難となり、また熱交換器２を通過する風速も上側、下側で大きく変化し熱交換器２の霜着、室外機７の能力も低下するという課題を有していた。
【０００６】
本発明は、前記従来の課題を解決するもので、室外機に設けられた上側ファンと下側ファンから吹出された風が均等に吹出させ、熱交換器側からの通過する風速を上側、下側とも均等にし熱交換器の霜着防止、室外機能力の低下を防止する事ができる空気調和機を提供する事を目的とする。
【課題を解決するための手段】
【０００７】
前記従来の課題を解決するために、本発明の空気調和機は、上方に配された上側室外ファンと、下方に配された下側室外ファンと、熱交換器等を内蔵し、外郭を、前記上側、下側室外ファンを保護する吹出しグリルを有する前板と、基板と、天板と、側板等で構成した室外機と、前記前板を覆うように取り付けられると共に、前記上側、下側室外ファンにより前方に吹出された風を上向きに放出させる風向変更ダクトとを備え、前記風向変更ダクトの前記下側室外ファンと対抗する部分の容積を、前記上側室外ファンと対抗する部分の容積より大きく設定したもので、下側室外ファンからの吹き出し時の負荷が減り、上方への吹出しを上側室外ファンと下側室外ファンのどちらも均一に放出させて、風量を均等に吹出すことができ、熱交換器を通過する風速も均等になり、熱交換器の霜着防止、室外機能力の低下を防止できる。
【０００８】
又、本発明の空気調和機は、上方に配された上側室外ファンと、前記上側室外ファンの直下に配された下側室外ファンと、熱交換器等を内蔵し、外郭を、前記上側、下側室外ファンを保護する吹き出しグリルを有する前板と、基板と、天板と、側板等で構成した室外機と、前記前板を覆うように取り付けられると共に、前記上側、下側室外ファンにより前方に吹出された風を上向きに放出させる風向変更ダクトとを備え、前記風向変更ダクト内に、断面略Ｓ字状で、前記上側室外ファンの吹き出し風路と前記下側室外ファンの吹き出し風路とを仕切る仕切り板を設けたもので、上側室外ファンから吹出された風と下側室外ファンから吹出された風が仕切られ、下側室外ファンから吹出された風が上側室外ファンから吹出された風に邪魔されず均等に吹出させることができ、熱交換器を通過する風速も均等になり、熱交換器の霜着防止、室外機能力の低下を防止できる。
【０００９】
以下、本発明の実施の形態について、図面を参照しながら説明する。なお、この実施の形態によって本発明が限定されるものではない。
【発明の効果】
【００１０】
本発明の空気調和機は、室外機に設けられた上側室外ファンと下側室外ファンから吹出される風を均等に吹出させることができ、熱交換器を通過する風速も均等になり、熱交換器の霜着防止、室外機能力の低下を止できる。
【発明を実施するための最良の形態】
【００１１】
第１の発明は、上方に配された上側室外ファンと、下方に配された下側室外ファンと、熱交換器等を内蔵し、外郭を、前記上側、下側室外ファンを保護する吹出しグリルを有する前板と、基板と、天板と、側板等で構成した室外機と、前記前板を覆うように取り付けられると共に、前記上側、下側室外ファンにより前方に吹出された風を上向きに放出させる風向変更ダクトとを備え、前記風向変更ダクトの前記下側室外ファンと対抗する部分の容積を、前記上側室外ファンと対抗する部分の容積より大きく設定したもので、下側室外ファンからの吹き出し時の負荷が減り、上方への吹出しを上側室外ファンと下側室外ファンのどちらも均一に放出させて、風量を均等に吹出すことができ、熱交換器側を通過する風速も均等になり、熱交換器の霜着防止、室外機能力の低下を防止できる。
【００１２】
第２の発明は、特に、第１の発明の上側室外ファンと下側室外ファンとの境近傍で、風向変更ダクトの前記下側室外ファン側を階段状に広げて、その部分での容積を大きくし、さらに前記風向変更ダクトの上下方向で異なる位置にそれぞれ吹出し口を設けたもので、例えば、風向変更ダクトの上端と、上記階段状のところに夫々吹出し口を設ければ、上側室外ファンからの吹き出し風は、それに近い上端の吹出し口から放出され、下側室外ファンからの吹出し風は、下側室外ファンに近い階段状のところに設けた吹出し口から放出されるので、上側室外ファンと下側室外ファンの風量を均等に吹出させるとともに、圧損低下により吹出し効率が向上する。
【００１３】
第３の発明は、特に、第１の発明の風向変更ダクト内部に、上側室外ファンの吹き出し風路と下側室外ファンの吹き出し風路とを仕切る断面略Ｌ字形の仕切り板を設けたもので、上側室外ファンから吹出された風と下側室外ファンから吹出された風が仕切られ、下側室外ファンから吹出された風が上側室外ファンから吹出された風に影響されず均等に吹出させることができ、熱交換器を通過する風速も均等になり、熱交換器の霜着防止、室外機能力の低下を防止できる。
【００１４】
第４の発明は、特に、第１の発明の風向変更ダクト内部の容積を、下から上に向かって徐々に小さくなるようにしたもので、風向変更ダクトで風が吹出しにくい下側ファン側の容積を上側ファン側より大きくすることで、下側ファンから吹出される風量が多くなり、熱交換器で通過する風速も均等になり、熱交換器の霜着防止、室外機能力の低下を防止できる。
【００１５】
第５の発明は、特に、第１〜４のいずれか１つの発明の風向変更ダクトの前面又は／および側面に、斜め上方に向かって開口したルーバを設けたもので、風が吹出しにくい下側室外ファンから吹出された風が、風向変更ダクトに設けられたルーバを通して外に出るので、上側室外ファンと下側室外ファンから吹出される風が均等になり、しかも風量も多くなり、熱交換器を通過する風速も均等になり、熱交換器の霜着防止、室外機能力の低下を防止できる。
【００１６】
第６の発明は、特に、第１又は第２の発明の風向変更ダクトに、上側室外ファン、下側室外ファンの回転方向に合わせて、高さをずらして吹出口を設けたもので、上側室外ファンと下側室外ファンから吹出された風量を均等に吹出させることができ、熱交換器を通過する風速も均等になり、熱交換器の霜着防止、室外機能力の低下を防止できる。
【００１７】
第７の発明は、上方に配された上側室外ファンと、前記上側室外ファンの直下に配された下側室外ファンと、熱交換器等を内蔵し、外郭を、前記室外ファンを保護する吹き出しグリルを有する前板と、基板と、天板と、側板等で構成した室外機と、前記前板を覆うように取り付けられると共に、前記上側、下側室外ファンにより前方に吹出された風を上向きに放出させる風向変更ダクトとを備え、前記風向変更ダクト内に、断面略Ｓ字状で、前記上側室外ファンの吹き出し風路と前記下側室外ファンの吹き出し風路とを仕切る仕切り板を設けたもので、上側室外ファンから吹出された風と下側室外ファンから吹出された風が仕切られ、下側室外ファンから吹出された風が、上側室外ファンから吹出された風に邪魔されず均等に吹出させることができ、熱交換器を通過する風速も均等になり、熱交換器の霜着防止、室外機能力の低下を防止できる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の室外機の斜視図示すものである。また、図２は、同室外機の断面図を示すものである。
【００２０】
図１、図２において、本空気調和機の室外機７は、内部に上側室外ファン１ａ、下側室外ファン１ｂ、熱交換器２などを配置し、その外郭は、基板３、天板４、前板５および側板６から構成されている。室外機７の前板５の前方に風向変更ダクト８が設けられている。前板５には、上側室外ファン１ａ、下側室外ファン１ｂの夫々を保護する吹き出しグリル１５が設けられている。
【００２１】
前記風向変更ダクト８は、前記上側室外ファン１ａと下側室外ファン１ｂの中央部付近を境として下側室外ファン１ｂ側を階段上に広げ前記風向変更ダクト８内の下側の容積を大きくし、さらに上下異なる位置に上側吹出し口１０ａと下側の吹出し口１０ｂが設けられ、各々の吹出し口１０ａ、１０ｂを保護するための格子状のグリル９が配置された構成になっている。
【００２２】
以上のように構成された空気調和機について、以下その動作、作用を説明する。
【００２３】
まず、上側室外ファン１ａから前方に吹出された風は、風向変更ダクト８の上側前面壁１１ａにあたり上側吹出し口１０ａから室外機７の上方へ吹出す。また下側室外ファン１ｂから前方に吹出された風は、風向変更ダクト８の下側前面壁１１ｂにあたり上側吹出し口１０ａと下側吹出し口１０ｂの両方から風を吹出すことにより、室外機７に設けられた上側室外ファン１ａと下側室外ファン１ｂから吹出された風を均等に吹出させることができる。
【００２４】
以上のように、本実施の形態によれば、上側室外ファン１ａと下側室外ファン１ｂから吹出された風量を均等に吹出させることができるので、熱交換器２を通過する風速も均等になり、熱交換器２の霜着防止、室外機７の能力低下を防止することができる。
【００２５】
（実施の形態２）
図３は、本発明の第２の実施の形態における空気調和機の室外機の斜視図、図４は、同室外機の断面図を示すものである。なお、上記第１の実施の形態と同一部分については同一符号を付してその説明を省略する。
【００２６】
本実施の形態は、図３、図４に示すように、室外機７の前板５の前方に配した風向変更ダクト８の内部に上側室外ファン１ａと下側室外ファン１ｂの中央部付近を境として断面Ｌ字状の仕切板１２を設け、上側室外ファン１ａ用の吹き出し風路１ｃと下側室外ファン１ｂ用の吹き出し風路１ｄとを分離したものである。
【００２７】
以上のように構成された空気調和機について、以下その動作、作用を説明する。
【００２８】
上側室外ファン１ａから吹出した風は、風向変更ダクト８内に設けられた仕切板１２に当たり、吹き出し風路１ｃを通って上側吹出し口１０ａに設けられたグリル９から吹出される。また下側室外ファン１ｂから吹出した風は、吹き出し風路１ｃと分離された吹き出し風路１ｄを通って、すなわち風向変更ダクト８の前面壁にあたり上側吹出し口１０ａから吹出されることにより、下側室外ファン１ｂから吹出された風は、上側室外ファン１ａから吹出した風の影響を受けない構成になっている。
【００２９】
以上のように、本実施の形態によれば、上側室外ファン１ａから吹出された風と下側室外ファン１ｂから吹出された風をＬ形仕切板１２で仕切ることにより、下側室外ファン１ｂから吹出された風が上側室外ファン１ａから吹出された風に影響されず均等に吹出させることができ、熱交換器２を通過する風速も均等になり、熱交換器２の霜着防止、室外機能力７の低減を防止できる。
【００３０】
（実施の形態３）
図５は、本発明の第３の実施の形態における空気調和機の室外機の斜視図、図６は、同室外機の断面図を示すものである。なお、上記実施の形態と同一部分については、同一符号を付してその説明を省略する。
【００３１】
本実施の形態は、図５、図６に示すように、室外機７の前板５の前方に配する風向変更ダクト８の形状を、基板３側から天板４側に向けて、容積が次第に小さくなるように、前面板８ａを傾斜させたもので、風向変更ダクト８で風が吹出しにくい下側室外ファン１ｂ側の容積を上側室外ファン１ａ側より大きくすることで、下側室外ファン１ｂから吹出される風量が多くなり、熱交換器２を通過する風速も均等になり、熱交換器２の霜着防止、室外機７の能力低下を防止できる。
【００３２】
（実施の形態４）
図７は、本発明の第４の実施の形態における空気調和機の室外機の斜視図、図８は、同室外機に取付けられた風向変更ダクトのルーバの断面図を示すものである。なお、上記実施の形態と同一部分については、同一符号を付してその説明を省略する。
【００３３】
本実施の形態は、図７、図８に示すように、風向変更ダクト８の前面板８ａ、左側面板８ｂ及び右側面板８ｃの、下側室外ファン側１ｂと略同一高さの位置に、斜め上方に開口したルーバ１３を設けたものである。
【００３４】
以上のように、本実施の形態によれば、風が吹出しにくい下側室外ファン１ｂから吹出された風を、風向変更ダクト８に設けたルーバ１３を通して外に、風を出すことにより上側室外ファン１ａと下側室外ファン１ｂから吹出された風を均等に吹出すことができ、風量を多くすることにより、熱交換器２側を通過する風速も均等になり熱交換器２の霜着防止、室外機７の能力低下を防止できる。
【００３５】
（実施の形態５）
図９は、本発明の第５の実施の形態における空気調和機の室外機の斜視図、図１０は、同室外機の断面図を示すものである。なお、上記実施の形態と同一部分については、同一符号を付してその説明を省略する。
【００３６】
本実施の形態は、図９、図１０に示すように、風向変更ダクト８の天面側８ｄ側と底面側８ｅ側とで容積を変化させると共に、吹出口１０を、上側、下側室外ファン１ａ、１ｂの回転方向（矢印方向）に合わせて上側吹出口１０ａと下側吹出口１０ｂに分割し、かつ上下方向で位置をずらしたものである。
【００３７】
以上のように、本実施の形態によれば、上側室外ファン１ａと下側室外ファン１ｂから吹出される風量を均等に吹出させることができ、熱交換器２を通過する風速も均等になり、熱交換器２の霜着防止、室外機７の能力低下を防止できる。
【００３８】
（実施の形態６）
図１１は、本発明の第６の実施の形態における空気調和機の室外機の平面図、図１２は、同室外機の断面図を示すものである。なお、上記実施の形態と同一部分については、同一符号を付してその説明を省略する。
【００３９】
本実施の形態は、図１１、１２に示すように、風向変更ダクト８内部に、上側室外ファン１ａと下側室外ファン１ｂとを垂直方向に２分割させるように位置し、かつ上側室外ファン１ａに連通する吹き出し風路１ｃと、下側室外ファン１ｂに連通する吹き出し風路１ｄを仕切る略Ｓ字状の曲面をもった仕切板１４を設けたもので、上側室外ファン１ａと下側室外ファン１ｂから吹出された風が効率良く吹出されるとともに、仕切板１４で吹き出し風路１ｃと吹き出し風路１ｄが仕切られているので下側室外ファン１ｂから吹出された風が上側室外ファン１ａから吹出された風に邪魔されず均等に吹出すので、熱交換器２を通過する風速も均等になり、熱交換器２の霜着防止、室外機７の能力低下を防止できる。
【産業上の利用可能性】
【００４０】
以上のように、本発明にかかる空気調和機は、複数個のファンを上下方向に配列した室外機において、上側室外ファンと下側室外ファンから吹出された風が均等に吹き出されることにより、熱交換器を通過する風速を上側、下側とも均等にし熱交換器の霜着および、室外機能力の低下を防止することができるもので、複数個のファンを縦方向に有する空気調和機に広く適用できる。
【図面の簡単な説明】
【００４１】
【図１】本発明の実施の形態１における空気調和機の室外機の斜視図
【図２】同室外機の断面図
【図３】本発明の実施の形態２における空気調和機の室外機の斜視図
【図４】同室外機の断面図
【図５】本発明の実施の形態３における空気調和機の室外機の斜視図
【図６】同室外機の断面図
【図７】本発明の実施の形態４における空気調和機の室外機の斜視図
【図８】同室外機の要部断面図
【図９】本発明の実施の形態５における空気調和機の室外機の斜視図
【図１０】同室外機の断面図
【図１１】本発明の実施の形態６における空気調和機の室外機の平面図
【図１２】同室外機の断面図
【図１３】従来の空気調和機の室外機の斜視図
【図１４】同室外機の断面図
【符号の説明】
【００４２】
１ａ  上側室外ファン
１ｂ  下側室外ファン
２  熱交換器
３  基板
４  天板
５  前板
７  室外機
８  風向変更ダクト
９  吹出グリル
１２、１４  仕切板
１３  ルーバ
１５  吹出しグリル
【図１】
2006132894.tif 000003
【図２】
2006132894.tif 000004
【図３】
2006132894.tif 000005
【図４】
2006132894.tif 000006
【図５】
2006132894.tif 000007
【図６】
2006132894.tif 000008
【図７】
2006132894.tif 000009
【図８】
2006132894.tif 000010
【図９】
2006132894.tif 000011
【図１０】
2006132894.tif 000012
【図１１】
2006132894.tif 000013
【図１２】
2006132894.tif 000014
【図１３】
2006132894.tif 000015
【図１４】
2006132894.tif 000016